(57)【要約】【課題】装置本体正面から原稿を挿入するタイプの画像形成装置で、作像部の上蓋をいわゆるクラムシェル方式で開放する構造の場合に、原稿テーブルと作像部が干渉しても必要量開放できようにする。【解決手段】作像部６の上部端が原稿テーブル８の先端部８ａをテーブル回転軸９ａを支点として回転させて押し上げ、作像部６を所定の角度まだ開くことができるようにする。この状態では、原稿テーブル８の先端部８ａが大きく開き、視認性が良い。すなわち、作像部６をクラムシェル方式で開放して原稿テーブル８と干渉した時、原稿テーブル８の先端部８ａも回転して移動するため、作像部６のクラムシェル方式での開放部分を必要量まで開放でき、ジャム処理、清掃等の作業が容易にできる。【選択図】図５
2008170612.tif 000002
【特許請求の範囲】
【請求項１】
スキャナ部、装置本体に対して上蓋を開閉可能な作像部、及び給紙部を備え、前記スキャナ部、前記作像部の間に排紙収納部となる空間を設け、装置本体正面から原稿を挿入する画像形成装置において、前記作像部を上方へ回動させて開いた時、上部に位置するスキャナ部の原稿テーブルが連動して開放することを特徴とする画像形成装置。
【請求項２】
請求項１の画像形成装置において、前記作像部を上方へ回動させて開いた時、前記原稿テーブルと一定の隙間を保つための支持部材を前記原稿テーブル側または前記作像部のいずれかに設けたことを特徴とする画像形成装置。
【請求項３】
請求項２の画像形成装置において、前記支持部材の前記作像部の上面との接触面が円弧状であることを特徴とする画像形成装置。
【請求項４】
請求項２の画像形成装置において、前記支持部材が回転体であることを特徴とする画像形成装置。
【請求項５】
請求項２の画像形成装置において、前記支持部材が伸縮機構を有することを特徴とする画像形成装置。
【請求項６】
請求項１の画像形成装置において、前記原稿テーブルの下側に、装置本体から前記原稿テーブルの下側に突出する受け部を備えたことを特徴とする画像形成装置。
【請求項７】
請求項１の画像形成装置において、前記原稿テーブルの先端に、前記作像部が開いた時の干渉を避ける切り欠きを設けたことを特徴とする画像形成装置。
【発明の詳細な説明】
【技術分野】
【０００１】
本発明は、装置本体の正面側から原稿を挿入するタイプの画像読取装置を利用して構成されるＰＰＣ、ファクシミリ装置、ＭＦＰ（複写、ファックス、プリンタ等の機能を二つ以上有する複合機を言う）等の画像形成装置に関する。
【背景技術】
【０００２】
原稿を装置本体の正面側から挿入する大型画像形成装置の一例を図１〜図４に示す。この装置は、スキャナ部１、プリンタ部２、給紙部３、操作部４、胴内排紙部５で構成されている。装置本体と言えるプリンタ部２中の作像部６は、回転軸７を支点としていわゆるクラムシェル方式で上下方向に開閉するが、その両側部分は胴内排紙部５の上に突き出している原稿テーブル８と干渉しない寸法、位置関係を取れるようになっている。
【０００３】
ところで、原稿の挿入性をよくするため、図４に示すように、原稿テーブル８を大きくしたいと言う要望があるが、そのような構造とすると、開いた状態の作像部６の上端部６ａとの干渉が生じてしまい、必要な作像部６の開放角を得ることができないという問題が生じることがある。
【０００４】
特許文献１には、原稿台移動式の画像形成装置で、原稿台を所定の位置で止めるものが開示されていで。また特許文献２には、原稿台移動式の画像形成装置で、クラムシェル開放時に原稿台側へ突き出した干渉手段により、原稿台が所定の位置にあることを報知するものが開示されている。さらに特許文献３には、クラムシェル開放によるドラム交換等の作業に関する問題への対応を示した技術が開示されている。
【０００５】
【特許文献１】特公平０７−１０４５６０号公報
【特許文献２】特第２５２６８６７号公報
【特許文献３】特公平０７−１０４５６０号公報
【発明の開示】
【発明が解決しようとする課題】
【０００６】
本発明は、上述した従来の諸問題点にかんがみ、作像部をクラムシェル方式で開放して原稿テーブルと干渉する場合でも、作像部を必要量開放でき、ジャム処理、清掃等の作業が容易にできる画像形成装置を提供することを目的とする。
【課題を解決するための手段】
【０００７】
本発明の画像形成装置のうち請求項１に係るものは、スキャナ部、装置本体に対して上蓋を開閉可能な作像部、及び給紙部を備え、前記スキャナ部、前記作像部の間に排紙収納部となる空間を設け、装置本体正面から原稿を挿入する画像形成装置において、前記作像部を上方へ回動させて開いた時、上部に位置するスキャナ部の原稿テーブルが連動して開放することを特徴とする。
【０００８】
請求項２に係るものは、請求項１の画像形成装置において、前記作像部を上方へ回動させて開いた時、前記原稿テーブルと一定の隙間を保つための支持部材を前記原稿テーブル側または前記作像部のいずれかに設けたことを特徴とする。
【０００９】
請求項３に係るものは、請求項２の画像形成装置において、前記支持部材の前記作像部の上蓋との接触面が円弧状であることを特徴とする。
【００１０】
請求項４に係るものは、請求項２の画像形成装置において、前記支持部材が回転体であることを特徴とする。
【００１１】
請求項５に係るものは、請求項２の画像形成装置において、前記支持部材が伸縮機構を有することを特徴とする。
【００１２】
請求項６に係るものは、請求項１の画像形成装置において、前記原稿テーブルの下側に、装置本体から前記原稿テーブルの下側に突出する受け部を備えたことを特徴とする。
【００１３】
請求項７に係るものは、請求項１の画像形成装置において、前記原稿テーブルの先端に、前記作像部の上蓋が開いた時の干渉を避ける切り欠きを設けたことを特徴とする。
【発明の効果】
【００１４】
本発明は、スキャナ部と作像部の間に排紙収納部となる空間を設け、装置本体正面から原稿を挿入するタイプの画像形成装置において、作像部の上蓋をいわゆるクラムシェル方式で開放した場合に、装置本体側の原稿テーブルと干渉する場合でも作像部を必要量開放でき、ジャム処理、清掃等の作業が容易にできる。
【発明を実施するための最良の形態】
【００１５】
以下、本発明の実施形態に関して、添付図面を参照して説明する。
【実施例１】
【００１６】
図５は本発明の第１の実施例を示す。本実施例では、作像部６を開いた状態（図中２点鎖線で示す状態）とすると、作像部６の上部端が原稿テーブル８の先端部８ａをテーブル回転軸９ａを支点として回転させて押し上げ、図中２点鎖線で示す状態に移動させ、作像部６を２点鎖線で示す状態ように所定の角度まで開くことができるようにしている。この構成では、用紙が廃止されている時、原稿テーブル８の先端部８ａが大きく開き、排紙収納部の視認性も良い。
【００１７】
すなわち本実施例では、作像部６をクラムシェル方式で開放して原稿テーブル８と干渉した時、原稿テーブル８の先端部８ａも回転して移動するため、作像部６のクラムシェル方式での開放部分を必要量まで開放でき、ジャム処理、清掃等の作業が容易にできるようになる。
【実施例２】
【００１８】
図６は本発明の第２の実施例を示す。本実施例では、作像部６を開いた状態（図中２点鎖線で示す状態）とすると、作像部６の上部端が原稿テーブル８全体をテーブル回転軸９ｂを支点として回転させて押し上げ、図中２点鎖線で示す状態に移動させ、作像部６を２点鎖線で示す状態ように所定の角度まだ開くことができるようにしている。この状態では、原稿テーブル８の先端部８ａが大きく開き、排紙収納部の視認性が良いだけでなく、原稿テーブル８に合わせ目がなく一体となっているので、原稿挿入操作性が良い。
【００１９】
本実施例でも、作像部６をクラムシェル方式で開放して原稿テーブル８と干渉した時、原稿テーブル８も回転して移動するため、作像部６のクラムシェル方式での開放部分を必要量まで開放でき、ジャム処理、清掃等の作業が容易にできるようになる。
【実施例３】
【００２０】
図７は本発明の第３の実施例を示す。本実施例では、原稿テーブル８の下面に支持部材１０を設けてあり、これが作像部６と接触する先端１０ａを円弧状とし、作像部６の動作時の接触抵抗をできるだけ減らし、動作し易くしてある。なおこのような支持部材は、作像部６側に設けても良い。
【００２１】
この実施例では、開いた作像部６が原稿テーブル８を押し上げる時、支持部材１０で作像部６の押し上げる力を受け、作像部６が原稿テーブル８の間にスペース１１を保っている。そのため開いた作像部６を閉める時にスペース１１へ手１２を挿入でき、押し下げる操作がし易い。また作像部６の外側の上縁を丸めた形状にしてあるので、手１２をさらに挿入しやすく、操作時に手１２に痛みを感じたり、痛めたりすることが無い。
【００２２】
なお、作像部６と原稿テーブル８は回転移動する中心が異なるため、支持部材１０が接触した時、擦りながら動作するが、接触部分が円弧であるため動作時の抵抗が低減できる。
【実施例４】
【００２３】
図８、図９は本発明の第４の実施例を示す。本実施例では、原稿テーブル８の下面に、ブラケット１３とコロ１４、軸１５で構成した支持部材１６が設けてある。そして、作像部６が接触して原稿テーブル８を押上げると、コロ１４が回転するので接触抵抗が小さく、円滑に動作する。なお、この支持部材１６も作像部６側に設けても良い。
【００２４】
この例でも、作像部６と原稿テーブル８は回転移動する中心が異なるため、支持部材１６が接触した時、擦りながら動作するが、接触部分がコロ１４であるため動作時の抵抗が低減できる。
【実施例５】
【００２５】
図１０、図１１は本発明の第５の実施例を示す。本実施例では、支持部材１６のブラケット１３、コロ１４、軸１５を原稿テーブル８の下面に、軸２１を中心に回動可能に取り付けてある。図１０の状態から図１１に示すようにプリンタ部２から分離したスキャナ部１を例えばテーブル１７の上に置く時、支持部材１６は回転してテーブル１７の上面に沿って伸び、スキャナ部１の前方側を支える脚となり得る。そして、スキャナ部１の後方側の脚１８と合せ、４点支持となり、スキャナ部１を分割設置し易くする。なお、図示しないがブラケット１３を所定の位置で固定されるストッパーを備える。
【００２６】
すなわち本実施例では、スキャナ部１を別ユニットとして分割設置する時、原稿テーブル８部分の支持がなくて別ユニットとしたスキャナ部１が転倒する可能性をなくし、スキャナ部１のユニット側に設けた支持部材１６が適正な量だけ回転して原稿テーブル８部分を支える脚となり、安定したスキャナユニットの分割設置が可能となる。
【実施例６】
【００２７】
図１２は本発明の第６の実施例を示す。本実施例は、基本的には図８、図９に示した本発明の第４の実施例と類似しているが、本実施例では、原稿テーブル８の下側にスキャナ部１に固定した（または一体の）受け部１９を設けている。そして、原稿テーブル８を通常使用状態にした時、原稿テーブル８の回転中心から先端方向へ広く受け部１９が原稿テーブル８を支えている。このため、原稿テーブル８が長くて回転中心である回転軸９ｂから離れている場合、受け部１９の部分までを一体で原稿テーブル８として構成すると、回転軸９ｂに過大な負荷が掛かるが、分割構成とすることにより過大な負荷が掛かることを防ぎ、安定した強度を維持することができ、また受け部１９による原稿テーブル８の支持位置が回転中心から先端寄りを広く支持するので、支持強度が強く、がたつきも少なく、原稿挿入品質を安定させることができる。
【実施例７】
【００２８】
図１３、１４は本発明の第７の実施例を示す。本実施例は、原稿テーブル８の両端にある作像部６との干渉部分を切り欠いた状態にして凹部２０を設けてある。したがって作像部６の開閉時、手による操作位置が原稿テーブル８に隠れることがないので、安価に操作性を改善でき、換言すれば、操作スペースを低コストで確保できる。
【図面の簡単な説明】
【００２９】
【図１】従来の画像形成装置の一例を示す斜視図
【図２】図１に示した画像形成装置の概念的断面図
【図３】図１の装置における作像部のクラムシェル方式で開閉を示す側面図
【図４】図１の装置における作像部のクラムシェル方式で開閉時に原稿テーブル８と干渉する状態を示す側面図
【図５】本発明の第１の実施例を示す図３、図４相当の側面図
【図６】本発明の第２の実施例を示す図３、図４相当の側面図
【図７】本発明の第３の実施例を示す図３、図４相当の側面図
【図８】本発明の第４の実施例を示す図１相当の斜視図
【図９】本発明の第４の実施例を示す図３、図４相当の側面図
【図１０】本発明の第５の実施例を示す図３、図４相当の側面図
【図１１】本発明の第５の実施例においてスキャナ部を分離した状態を示す側面図
【図１２】本発明の第６の実施例を示す図３、図４相当の側面図
【図１３】本発明の第７の実施例を示す図１相当の斜視図
【図１４】本発明の第７の実施例を示す図３、図４相当の側面図
【符号の説明】
【００３０】
１：スキャナ部
２：プリンタ部
３：給紙部
４：操作部
５：胴内排紙部
６：作像部
６ａ：作像部の上端部
７：回転軸
８：原稿テーブル
８ａ：原稿テーブルの先端部
９ａ、９ｂ：テーブル回転軸
１０：支持部材
１０ａ：支持部材の先端
１１：スペース
１２：手
１３：ブラケット
１４：コロ
１５：軸
１６：支持部材
１７：テーブル
１８：スキャナ部の後方側の脚
１９：受け部
２０：凹部
【図１】
2008170612.tif 000003
【図２】
2008170612.tif 000004
【図３】
2008170612.tif 000005
【図４】
2008170612.tif 000006
【図５】
2008170612.tif 000007
【図６】
2008170612.tif 000008
【図７】
2008170612.tif 000009
【図８】
2008170612.tif 000010
【図９】
2008170612.tif 000011
【図１０】
2008170612.tif 000012
【図１１】
2008170612.tif 000013
【図１２】
2008170612.tif 000014
【図１３】
2008170612.tif 000015
【図１４】
2008170612.tif 000016